(57)【要約】【解決手段】船体（１２）を浮いた状態を保つための浮揚装置（１０）が提供される。浮揚装置は船体に搭載された長尺なハウジング（１４）を有している。キャリア（２０）はハウジングの中でスライド自在に受け入れられ、キャリアは第１（３２）と第２（３４）のカバーチャンネル部と浮袋保持スロット（３８）を有している。第１の折り畳み自在なチューブは第１のカバーチャンネル部内で受け入れられる。長尺なカバー（２２）は取り外し自在だが第１のカバーチャンネル部内と第２のカバーチャンネル部内とに固定されている。そのキャリアとカバーとの間には空間（２６）が区画されている。浮袋（２４）は前記空間中に受け入れ可能であって、前記浮袋は前記浮袋保持スロットに受け入れ可能な縁部を有している。膨張メカニズム（５４、５６）は、第１の折り畳みチューブと浮袋とに接続されており、前記第１の折り畳みチューブを膨張させ、かつ前記浮袋を膨張させ、前記第１の折畳チューブを膨張させることによって前記カバーの第１の縁部を前記キャリアの第１のカバーチャンネル部から離脱させ、前記浮袋が前記カバーの第１の縁部を概して船体から離れた方向に駆動し、前記浮袋を略完全に膨張させるようになっている。【選択図】図１
2004501023.tif 000002
【特許請求の範囲】
【請求項１】
船体を浮いた状態に保つための浮揚装置であって、その浮揚装置は、
船体に搭載可能な長尺のハウジングと、
前記長尺のハウジング部内にスライド自在に受け入れ可能なキャリアであって、第１のカバーチャンネル部と第２のカバーチャンネル部と浮袋保持スロットとを有するキャリアと、
この第１のカバーチャンネル部内に受け入れ可能な第１の折り畳みチューブと、
第１の縁部と第２の縁部とを有する長尺のカバーであって、前記第１の縁部は前記第１のカバーチャンネル部内に取り外し自在に受け入れ可能であり、前記第２の縁部は第２のカバーチャンネル部内に取り外し自在に受け入れ可能である長尺のカバーと、
前記キャリアとカバーとの間に区画された空間と、
前記空間内に受け入れられる浮袋であって、前記浮袋保持スロットの中に受け入れ可能な浮袋縁部を有する浮袋と、
膨張手段であって、第１の折り畳みチューブと浮袋とに接続されており、前記第１の折り畳みチューブを膨張させ、かつこの第１の折り畳みチューブを膨張させることによって前記浮袋を膨張させる膨張手段とを有し、
前記第１の折り畳みチューブを膨張させることによって前記カバーの第１の縁部を前記キャリアの第１のカバーチャンネル部から離脱させ、
前記浮袋を膨張させることによって、この浮袋が前記カバーの第１の縁部を概して船体から離れた方向に駆動し、この浮袋を略完全に膨張させるようになっている、
浮揚装置。
【請求項２】
請求項１記載の浮揚装置において、
第２のカバーチャンネル部内の、前記カバーの第２の縁部と前記キャリアとの間に受け入れられる第２の折り畳みチューブを更に有し、
前記膨張手段は前記第２の折り畳みチューブに接続されており、第２の折り畳みチューブを膨張させることによって前記カバーの第２の縁部を前記キャリアの第２のカバーチャンネル部から離脱させる。
【請求項３】
請求項１記載の浮揚装置であって、前記ハウジングは接着性材料によって船体に搭載されている。
【請求項４】
請求項１記載の浮揚装置であって、前記ハウジングは船体の略喫水線の位置で船体に搭載されている。
【請求項５】
請求項１記載の浮揚装置であって、
所定の事象が発生することによって膨張手段を自動に作動させるための起動手段を更に有している。
【請求項６】
請求項５記載の浮揚装置であって、前記起動手段は所定の水量が船体に入ることによってバルブを作動させる浮揚スイッチを有し、前記バルブは膨張手段に接続されていて膨張手段を作動させる。
【請求項７】
請求項６記載の浮揚装置であって、前記浮揚スイッチは中空シェル部内でスライド可能な中空体を有し、この中空シェルは前記船体に入る水を受け入れるための少なくとも１つの穴を有する。
【請求項８】
請求項７記載の浮揚装置であって、
浮揚アームを更に有し、この浮揚アームは前記中空シェルと接触していて前記バルブにピボット式に接続されている。
【請求項９】
請求項１記載の浮揚装置であって、前記膨張手段は圧縮ガスを有するガス供給器である。
【請求項１０】
請求項１記載の浮揚装置であって、前記浮袋を膨らませる前は略渦巻状の構成を有する。
【請求項１１】
請求項１記載の浮揚装置であって、前記浮袋は前記船体の喫水線に沿って複数の浮袋を有し、浮袋をそれぞれ独立して膨らませることが可能である。
【請求項１２】
船体の緊急浮揚サポートであって、緊急浮揚サポートは、
前記船体に搭載されたベースプレートと、
前記ベースプレートに取着されたカバーと、
前記ベースプレートとこのカバーとの間に形成された収納用チャンネル部と、
前記収納用チャンネル部内に渦巻状に包まれた膨張可能浮袋部材とを有し、
前記膨張可能浮袋部材を膨張させることで、この浮袋部材は前記カバーを動かしてこの浮袋部材を膨張させることができるようになっている。
【請求項１３】
請求項１２記載の緊急浮揚サポートにおいて、前記ベースプレートと前記カバーとが単一の材料から一体的に構成されており、前記カバーは少なくとも１つの開放点を有し、この開放点は前記膨張袋を膨張させる際に前記カバーを開放する。
【請求項１４】
請求項１２記載の緊急浮揚サポートにおいて、前記ベースプレートと前記カバーとが単一の材料から一体的に構成されており、前記カバーは少なくとも１つの開放点を有し、この開放点は爆発コードが爆発することによって前記カバーを開放する。
【請求項１５】
請求項１２記載の緊急浮揚サポートは、前記膨張可能浮袋部材を膨張させるための膨張手段を更に含む。
【請求項１６】
請求項１２記載の緊急浮揚サポートにおいて、前記カバーは第１のカバーチャンネル部と第２のカバーチャンネル部と浮袋保持スロットとを有しており、前記カバーは第１の縁部と第２の縁部とを有し、前記第１の縁部は前記第１のカバーチャンネル部内に取り外し自在に受け入れ可能であり、前記第２の縁部は第２のカバーチャンネル部内に取り外し自在に受け入れ可能であり、
さらに、前記第１のカバーチャンネル部内に受け入れ可能な第１の折り畳みチューブを有し、
この第１の折り畳みチューブを膨張させることによって、前記カバーの第１の縁部を前記ベースプレートの第１のカバーチャンネル部から離脱させ、
前記膨張可能浮袋を膨張させることによって、この浮袋が前記カバーの第１の縁部を概して船体から離れた方向に駆動し、この浮袋を略完全に膨張させるようになっている。
【請求項１７】
請求項１６記載の緊急浮揚サポートにおいて、
第２のカバーチャンネル部内の、前記カバーの第２の縁部と前記ベースプレートとの間に受け入れ可能な第２の折り畳みチューブを更に有し、
この第２の折り畳みチューブを膨張させることで、前記カバーの第２の縁部が前記ベースプレートの第２のカバーチャンネル部から離脱するようになっている。
【請求項１８】
請求項１２記載の緊急浮揚サポートにおいて、
所定の水量が前記船体に進入することのみによって膨張可能浮袋を自動に膨らませるための起動手段を更に有する。
【請求項１９】
請求項１２記載の緊急浮揚サポートにおいて、前記浮揚スイッチは中空シェル部内でスライド可能な中空体を有し、前記中空シェルは船体に進入する水を受け入れるための少なくとも１つの穴を有する。
【請求項２０】
船体を浮いた状態に保つ方法であって、この方法は、
船体にハウジングを搭載する工程と、
前記ハウジングにキャリアをスライド自在にかつ着脱自在に固定し、前記ハウジングは第１のカバーチャンネル部と第２のカバーチャンネル部と浮袋保持スロットとを有するものである、工程と、
前記第１のカバーチャンネル部内に第１の折り畳みチューブを配置する工程と、
前記キャリアの少なくとも一部分をカバーで覆い、このカバーは第１の縁部と第２の縁部とを有するものである、工程と、
前記第１のカバーチャンネル部内に前記カバーの第１の縁部を、かつ前記第２のカバーチャンネル部内に前記第２の縁部を離脱可能な状態で搭載する工程と、
前記キャリアとカバーとの間に空間を区画する工程と、
前記空間中に浮袋を配置し、前記浮袋は浮袋縁を有する、工程と、
前記浮袋保持スロット部内に前記浮袋の浮袋縁を搭載する工程と、
前記第１の折り畳みチューブを膨張させる工程と、
前記膨張袋を膨張させる工程と、
を有する。
【請求項２１】
請求項２０記載の方法において、
前記第２のカバーチャンネル部内に第２の折り畳みチューブを配置する工程と、
前記膨張袋を膨張させる前に前記第２の折り畳みチューブを膨張させる工程とを更に含む。
【請求項２２】
請求項２０記載の方法において、
前記ハウジングを接着性材料によって船体に搭載する工程を更に含む。
【請求項２３】
請求項２０記載の方法において、
所定の水量が前記船体に進入することのみによって前記第１の折り畳みチューブと前記膨張袋とを自動に膨張させる工程を更に含む。
【請求項２４】
請求項２０記載の方法において、
前記空間内で前記浮袋を渦巻状に丸め込む工程を更に含む。
【請求項２５】
浮袋のカバーを取り除く方法であって、この方法は、
前記カバーの可能に収縮状態の浮揚風船を供給する工程と、
前記浮揚風船を膨張させる工程と、
前記カバーを取り除く工程とを含む。
【請求項２６】
浮揚装置を船体に取着する方法であって、前記浮揚装置はハウジングと少なくとも１つの浮揚風船を有しており、この方法は、
前記ハウジングを船体に接着性材料で搭載する工程を更に含む。
【請求項２７】
船体を浮いた状態に保つための浮揚装置であって、この浮揚装置は、
船体に搭載可能な長尺のハウジングと、
前記長尺のハウジング内にスライド自在に受け入れ可能なキャリアであって、第１のカバーチャンネル部と第２のカバーチャンネル部と浮袋保持スロットとを有するキャリアと、
前記第１のカバーチャンネル部内に受け入れ可能な第１の折り畳みチューブと、
第１の縁部と第２の縁部とを有する長尺のカバーであって、前記第１の縁部は前記第１のカバーチャンネル部内に取り外し自在に受け入れ可能であり、前記第２の縁部は第２のカバーチャンネル部内に取り外し自在に受け入れ可能である長尺のカバーと、
前記キャリアとカバーの間に区画された空間と、
前記空間内に渦巻状に巻かれた状態で受け入れられる浮袋部材であって、前記浮袋保持スロットの中に受け入れ可能な浮袋縁部を有する浮袋部材と、
膨張手段であって、第１の折り畳みチューブと浮袋とに接続されており、前記第１の折り畳みチューブを膨張させ、かつこの第１の折り畳みチューブを膨張させることによって浮袋部材を膨張させる膨張手段と
を有し、
前記第１の折り畳みチューブを膨張させることによって前記カバーの第１の縁部を前記キャリアの第１のカバーチャンネル部から離脱させ、
前記浮袋を膨張させることによって、前記浮袋が前記カバーの第１の縁部を概して船体から離れた方向に駆動し、前記浮袋を略完全に膨張させるようになっている、
浮揚装置。
【発明の詳細な説明】
【発明の属する技術分野】
本発明は、船舶の浮揚装置に関するもので、具体的には船舶の沈没を阻止するための自動膨張浮揚装置に関するものである。この浮揚装置は、所定の水量が船の船倉に流れ込んだ際に自動的に膨張するように構成されている。
【従来の技術】
ボーティングは今日ほぼ全世界において民間に普及した娯楽であり、また重要な商業的活動でもある。船の所有者にとっては、船はしばしば実質的な投資である。商船の場合、船はたいてい船所有者の生計である。一般的な概念からすると、船体が水上で何かにひっかかり浮力を失ったときに船は沈没する。これは、船体が何か物体に衝突して破損したときや、高波で船が浸水したときに発生する。
これまでに、多くの特許は船体が破損した場合にもボートの沈没を阻止するための発明に向けられてきた。しかし残念ながら、ボート浮揚に関する先行技術には、取り付けが困難だったり、また通常の場合、その装置の手動による起動が要求されるといった多くの問題があった。このことは、公海上ではなく、波止場で監視人が不在だったときに多くのボートが沈んでいることから、大きく懸念されている。
本発明の浮揚装置は、既存のボート改装時またはボート製造時のいずれかの時に簡単に取り付けることが出来るようにすることで、上述の諸問題やその他の問題を解決するものである。さらに、本発明の浮揚装置は、船体内の水のレベルが平均して所定量に達した場合、自動的に展開する仕組になっている。この装置は、荒海で誤って開かないように、単に水しぶきがその所定レベルにはねかかった場合は作動しないことになっている。一度展開すると、たとえ船体が完全に浸水しても、本発明はボートを浮いた状態のまま保つ。
本発明の主たる目的は、船体の一部が水で満ちた後にボートが浮いた状態に保たれるように自動展開する浮揚装置を提供することにある。
本発明のもう一つの目的は、自動展開が作動していないときに、ボートの見栄えや操作を妨げることのない浮揚装置を提供することにある。
本発明のもう一つの目的は、取り外しや作動後に新しいものを再度取り付けることが簡単な浮揚装置を提供することにある。
本発明のもう一つの目的は、製造と取り付けが簡単な浮揚装置を提供することにある。
【課題を解決するための手段】
自動膨張式のボートレールが開示される。膨張可能なバッグ部材が丸められタイトな渦巻状に構成されている。このバック部材はこの渦巻状の状態で単数または複数部材から成る柔軟性のあるハウジングの内部に搭載されている。このハウジングのベース部材は船体の外部に搭載される。そして前記バッグ部材のベース部材はハウジングのベース部材に取着されている。前記ハウジングの外側部材は、ハウジングのベース部材に取り外し自在に取着されていて、前記丸められた状態のバッグ部材を包み込むようになっている。１もしくはそれ以上のバッグ部材をハウジングの内部に搭載することが可能である。前記バッグ部材はバルブを有しこのバルブは安全弁に取着されている。この安全弁は船体内の水のレベルが所定の高さに達することによって起動される。一旦安全弁が起動されるとタンク内の圧縮された不活性ガスがシステム中へ導入される。このことでハウジングの外側部材が押し出されバッグ部材が膨張して展開することができる。このバッグ部材は複数の内部チャンバーを有しているので、一部分のみがパンクしても装置全体がしぼんでしまうことはない。
本発明は、船体を浮いた状態に保つための浮揚装置である。その浮揚装置は船体に設置された長尺のハウジングを有しており、このハウジングは、第１のカバーチャンネル部と、第２のカバーチャンネル部と、浮袋保持スロットとを有している。そして、第１の折り畳みチューブが第１のカバーチャンネル部内に受け入れられている。長尺のカバーが前記ハウジングに固定されていて、このカバーは第１のカバーチャンネル部内に取り外し自在に受け入れられる第１の縁部と、第２のカバーチャンネル部内に取り外し自在に受け入れられる第２の縁部とを有している。前記ハウジングとカバーとの間には空間が区画されている。この空間内には浮袋が受け入れ可能であり、この浮袋は浮袋保持スロット部内に受け入れ可能な浮袋縁部を有している。膨張手段が、第１の折り畳みチューブと浮袋とに接続されており、前記第１の折り畳みチューブを膨張させ、かつこの第１の折畳チューブを膨張させることによって前記浮袋を膨張させる。すなわち、前記第１の折り畳みチューブを膨張させることによって前記カバーの第１の縁部を前記ハウジングの第１のカバーチャンネル部から離脱させ、前記袋を膨張させることによって、前記浮袋が前記カバーの第１の縁部を概して船体から離れた方向に駆動し、前記浮袋を略完全に膨張させるようになっている。
さらに本発明は、船舶の緊急浮揚サポートも含む。前記緊急浮揚サポートは船舶に搭載されたベースプレートとこのベースプレートに取着された取り外し自在なカバーとを有している。前記ベースプレートとカバーとの間には保管用チャンネル部が形成され、膨張可能な袋部材が前記保管用チャンネル部内に渦巻状に包まれていて、前記膨張可能な袋部材が膨張することによって前記カバーを駆動しこの袋部材が膨張することことを可能にする。
さらに本発明は、船舶を浮上状態に保つ方法を含む。前記方法は、船体にハウジングを搭載し、前記ハウジングは第１のカバーチャンネル部と第２のカバーチャンネル部と浮袋保持スロットとを有し、前記第１のカバーチャンネル部内に第１の折り畳みチューブを配置し、前記ハウジングをカバーで覆っていて前記カバーは第１の縁部と第２の縁部とを有し、前記第１のカバーチャンネル部内に前記カバーの第１の縁部と、前記第２のカバーチャンネル部内に前記第２の縁部を取り外し自在に配置し、前記ハウジングとカバーとの間に空間が区画され、前記空間内に浮袋を配置し前記浮袋は袋縁を有し、浮袋保持スロット部内に浮袋の袋縁を搭載し、第１の折り畳みチューブを膨張させ、膨張袋を膨張させる。
本発明の実施形態によれば、前記方法は、第２のカバーチャンネル部内に第２の折り畳みチューブを配置し、前記膨張袋を膨張させる前に第２の折り畳みチューブを膨張させることを更に含む。
本発明の他の側面は後記の明細と追記の請求項に記されており、本明細書中の添付図面に対して参照がなされていて、同様の参照記号が複数の図においてそれぞれ類似部品を示すために使用されている。
【発明の実施の形態】
図１に図示されているように、本発明は参照符号１０で示されている浮揚装置であって、この装置は船舶１２に搭載され船舶を浮いた状態に保つために自動的に起動する。この浮揚装置１０は搭載用プレート１４を有し、このプレートは船舶１２の船体１６上に搭載される。この搭載用プレート１４とカバー２２は、船舶１２の外側の表面で唯一見えている浮揚装置１０の部分である。前記搭載用プレート１４は低い外形を有し目立たないようになっていることが重要であり、浮袋が非膨張状態の際には前記搭載用プレート１４が空力的または視覚的に船舶１２の外形に影響を及ぼさないようになっている。図２に図示されているように、搭載用プレート１４は船舶１２の船体１６のほぼ喫水線１８の位置に搭載されている。
図３と図４に図示されているように、本発明の浮揚装置１０の実施形態において、前記搭載用プレート１４は、キャリア２０とカバー２２と非膨張状態の浮袋２４とを保持している。前記搭載用プレート１４はアルミニウムまたはそれに似た材料で形成されることが好ましいが、異なる種類の材料から搭載用プレート１４を作ることに対しても本発明の範囲は及ぶ。
浮袋２４はキャリア２０とカバー２２との間に形成された空間２６の中にフィットするように丸められている。浮袋２４は渦巻状に丸められていることが好ましい。さらに、浮袋２４はウレタンで覆われたバリスティックナイロン（ｕｒｅｔｈａｎｅ　ｃｏａｔｅｄ　ｂａｌｌｉｓｔｉｃ　ｎｙｌｏｎ）で形成されることが好ましいが、異なる種類の材料から浮袋２４を作ることも本発明の範囲に含まれる。
前記搭載用プレート１４は片側に平らな搭載面２８を有していて、図２９に示図示されているように船舶１２の船体１６の取着面３０に直接搭載されている。前記搭載用プレート１４は繊維ガラス（ｆｉｂｅｒｇｌａｓｓ）用もしくは金属製船体用の接着剤または船体用の木ねじを使って船体１６の外側に搭載されているのが好ましい。接着剤の好ましいタイプはツーパートエポキシ（ｔｗｏ−ｐａｒｔ ｅｐｏｘｙ）２７である。前記ツーパートエポキシ（ｔｗｏ−ｐａｒｔ ｅｐｏｘｙ）が硬化される間、少なくとも１つのストリップ２９が搭載用プレート１４上に位置決めされ船舶１２の船体１６に前記搭載用プレート１４を保持するために使用される。好ましいエポキシのブランドはＤＰ１９０であって、ミネソタ州セントポールのミネソタマイニングアンドマニュファクチュアリング社（３Ｍ社）製である。ある接着剤は船体１６の外側の最外部ペイント層のみに粘着する場合があるので、木製ボートにはねじ（図示せず）が必要になる場合もある。
前記キャリア２０は搭載用プレート１４部内でスライドしてスナップ式に位置決めされる。前記キャリア２０は２つのチャンネル部３２、３４を有し、互いに一定の間隔を保って離間していて、キャリア部２０の長さに沿って軸の方向に延びている。可撓性カバーチューブ３６が前記チャンネル部内３２、３４に配置されている。前記カバーチューブ３６は可撓な材料から形成されているので、図３と図７に図示されるように前記カバーチューブ３６は折り畳まれることが可能である。図４と図７ａ〜７ｇに図示されるように、前記カバーチューブ３６が広がってチャンネル部内３２および／またはチャンネル部内３４を実質上満たす。
浮袋保持スロット３８は前記チャンネル部３２、３４との間に形成されたキャリア２０に沿って軸の方向に延びる。前記浮袋保持スロット３８は、前記浮袋保持スロット３８上部に細くなったネック４０を有している。本実施形態では、前記浮袋保持スロット３８は略円形で直径約１／２インチである。より重い船舶の場合にはより大きい袋部材を保持するために、前記浮袋保持スロット３８はより大きい直径を有することも可能である。
図１６及び図１８の断面図に示されるように、前記浮袋２４はこの浮袋２４の長さ方向に沿って延長する長尺な縁部４４を有する一側面４２を有する。前記長尺の縁部４２はロッド（ｒｏｄ）またはロープ（ｒｏｐｅ）を有していて、図５及び図７に図示されているように前記浮袋保持スロット３８部内にフィットし、前記ネック４０によって適切な位置に保持されている。前記長尺な縁部４４と前記ロッドとが、前記浮袋保持スロット３８に沿ってスライドし前記浮袋２４をキャリア２０に取着する。
前記カバー２２は内部面４６と外部面４８と２つのかぎ状の縁部５０、５２とを有し、前記カバー２２の長さに沿って軸の方向に延びている。図３及び図７ａ〜７ｇに図示されるように、前記かぎ状の縁部５０、５２は前記平らなチューブ３６上方の前記キャリア２０上の前記チャンネル部３２、３４内にフィットするように形成されている。前記カバー２２は前記キャリア２０に取着されていて、前記かぎ状の縁部５０、５２を前記カバーチューブ３６上方のチャンネル部３２、３４内にスライドし、前記カバーチューブ３６が一端部で供給チューブ５４に取着されていて、前記供給チューブ５４がガス供給器５６に取着されている。前記ガス供給器５６はＣＯ２ガスのような不活性圧縮ガスを含んでいることが好ましい。
前記カバー２２は耐久性のある材料から形成されていなければならず、連続的に前記成分にさらされる。前記カバー２２は熱可塑性ゴムによって形成されていることが好ましい。前記搭載用プレート１４が船舶１２の船体１６上に搭載されかつ前記カバー２２が位置決めされるとき、本発明は船舶１２を保護するバンパーとして機能する。
前記カバー２２が取り除かれて前記袋部材２４が膨張すると、圧縮ガスが前記ガス供給器５６からリリースされ前記供給チューブ５４を通って前記カバーチューブ３６へ流通する。図６に図示されるように、前記カバーチューブ３６が広がって前記チャンネル部３２、３４を満たし、前記かぎ状の縁部５０と５２がチャンネル部３２、３４から押し出され、前記カバー２２を前記キャリア２０から離脱させる。本実施形態の別の例では、図７及び図８に図示されるように、前記カバーチューブが広がって前記チャンネル部３２を満たし前記カバー２２の片側を前記キャリア２０から離脱させる。前記もう一方のチャンネル部内３２で前記カバー２２は前記キャリア２０に接続されたまま、膨張する前記浮袋２４とは別の方向へスイングする。
次に図６を参照すると、前記カバーチューブ３６の前記供給チューブ５４の取着部分とは反対の一端に、袋部材フィルチューブ５８に取着されている。前記袋部材フィルチューブ５８は一方向のフローバルブ（図示せず）を経由して各浮袋２４に取着されている。このような一方向のフローバルブは本技術分野で公知のものであるので詳細は記さない。前記カバーチューブ３２、３４が膨張すると前記カバー２２の片側もしくは前記カバー２２の両側が離脱し、不活性ガスが前記膨張袋２４に流れこの膨張袋２４を膨張させる。
図９に図示されるように、前記浮揚装置１０１０の別の実施形態は、キャリア１０２０とカバー１０２２と非膨張浮袋１０２４とを含む。前記浮袋１０２４が前記キャリア１０２０と前記カバー１０２２との間に形成された空間１０２６の中にフィットするように丸められている。前記浮袋１０２４の好ましい実施形態は渦巻状に丸められていることである。
この実施形態の前記浮揚装置１０１０は、前記船舶の船体１０１６（本実施形態には図示せず）に直接搭載されている前記キャリア１０２０付き搭載用プレートを含まない。前記キャリア１０２０は片側に平らな搭載面１０２８を有する。前記搭載面１０２８は、前記船舶の船体１０１６上の取着面１０３０に前記繊維ガラス（ｆｉｂｅｒｇｌａｓｓ）用もしくは金属製船体用の接着剤または木製船体用（図示せず）のねじによって搭載（本実施形態には図示せず）されている。木製船体ボートの場合、どのような接着剤も船体１０１６上の最外部のぺイント層のみに粘着するので、おそらくねじを必要する。
前記キャリア１０２０は互いに一定の間隔を保って離間し前記キャリア１０２０の長さに沿って軸の方向に延びる２つのフック型リッジ部１０６０、１０６２を有する。図１０に図示される別の実施形態の好ましい実施例では、前記フック型リッジ部１０６０、１０６２は互いにそれぞれ外向きになっている。前記浮袋保持スロット１０３８はリッジ部１０６０、１０６２の間でキャリア１０２０の軸の方向に沿って延びている。前記浮袋保持スロット１０３８は、浮袋保持スロット１０３８の最上部に細いネック１０４０を有している。好ましい本実施形態では、前記浮袋保持スロット１０３８は略円形で直径およそ１／２インチである。前の実施形態と同様に、さらに重い船舶に要求されるより大きい袋を保持する場合には、前記浮袋保持スロット１０３８はより大きい直径を有することも可能である。
図１６及び図１８の断面図に示されるように、前記浮袋１０２４は前記浮袋１０２４の長さ方向に沿う長尺な縁部１０４４を有する一側面を有している。前記長尺の縁部１０４４は前記浮袋保持スロット部１０３８内にフィットし、図９に示されるようにロッドまたはロープやネック１０４０によって所望の位置に保持されている。前記長尺な縁部１０４４は前記浮袋保持スロット１０３８に沿ってスライドし、前記浮袋１０２４をキャリア１０２０に取着させる。前記キャリア１０２０は、前記キャリア１０２０の長さに沿って延びている穴１０６４を更に有する。前記穴１０６４はガスが前記浮袋１０２４に流れることを可能にする。
前記カバー１０２２は内部面１０４６と外部面１０４８と前記カバー１０２２の長さに沿って軸の方向に延びている２つのかぎ状の縁部１０５０、１０５２を有している。前記かぎ状の縁部１０５０、１０５２は前記キャリア１０２０上の前記フック型リッジ部１０６０、１０６２に係合するように形成されている。図９に図示されるように、前記かぎ状の縁部１０５０、１０５２がフック型リッジ部にフィットすることにより前記カバー１０２２は前記キャリア１０２０に取着されている。
別の実施形態において、浮袋１０２４を膨らませるために、前記配給パイプ１０５４は前記穴１０６４に向かって延び、バルブ１０６６によって浮袋１０２４に取着される。前記圧縮ガスは前記浮袋１０２４の中に流れ込み、図１１に示されるように浮袋１０２４を膨らます。前記浮袋１０２４が膨らみ始めると、カバー１０２２がフック型リッジ部１０６０、１０６２から離れる。前記カバー１０２２は自在に動くため浮袋１０２４の膨張を妨げることはない。前記カバー１０２２は通常の状態で適所に留まる程度に硬い材料で形成されるとともに、前記カバー１０２２が前記キャリア１０２０から離れる程度に柔軟であることが重要である。
前記浮揚装置２０１０の別の実施形態は図１２に示されている。前記キャリア２０２０と前記カバー２０２２は１対として形成されている。前記浮揚装置２０１０の本実施形態は、船舶の船体２０１６（本実施形態には図示せず）に直接搭載されたキャリア２０２０のある搭載用プレートは含まない。前記キャリア２０２０は片面に平らな設置面２０２８を有する。その搭載面２０２８は、船舶の船体２０１６の表面上の取着面２０３０にファイバーグラス用または金属製船体用の接着剤または木製船体用（図示せず）のねじを使って搭載（本実施形態には図示せず）されている。接着剤は船体２０１６の表面上のペンキの最も外部のレイヤーにしか接着しないため、木製の船体ボートにはねじが必要となるかもしれない。
浮袋２０２４は前記スペース２０２６内のキャリア２０２０の中に丸められている。この浮袋２０２４が浮袋保持スロット２０３８の位置でキャリア２０２０に取着されている。前記カバー２０２２の上には展開点２０６８がある。この展開点２０６８はカバー２０２２内の弱めの部位または亀裂コードのどちらかになりうる。
バルブ２０６６は前記浮袋２０２４と前記配給パイプ２０５４とに取着されている。前記浮袋２０２４が膨らむ際、前記カバー２０２２はオープンポイント２０６８に沿って開かれる。その展開点２０６８は亀裂コードの亀裂または浮袋２０２４が広がるときの圧力によって開かれ、図１３と図１４が示すように弱めの部位に沿ってカバー２０２２が開く。
図１５は船体１６の表面に搭載された浮袋２４の好ましい実施形態を含む船体１２を示している。この浮袋２４は完全に膨らんでいる。この浮袋２４の好ましい実施形態は、それぞれが一定の距離を保って個々にキャリア２０に取着されているそれぞれの袋である。図１７は完全に膨らんだひとつの浮袋２４を示している。
前記浮袋２４の別の実施形態は図１９にあるように完全に膨らんだ状態で示されている。前記浮袋２４は内部の壁７２で仕切られる内部のチャンバー７０を有する。バルブ６６はそれぞれの内部のチャンバー７０にガスを送る。
浮袋２４はどちらのタイプであっても浮揚装置１０のどの実施形態でも利用できる。複数から成る膨張袋２４は好ましい実施形態であり、それはより簡単に製造できてかつ浮揚装置１０の多種多様な船体への搭載をより容易にするからである。浮袋２４はある一定の長さに製造され必要数の袋が船体１６の長さに沿って取り付けられる。
各実施形態のキャリア２０はＵＨＭＷプラスチックのようなやや硬めの材料から形成される。その材料はキャリア２０が船舶の船体１６のカーブに適合するように曲がる程度に柔軟でなくてはならない。しかし、浮袋２４の膨張が長尺な縁部４４を浮袋保持スロット３８から除去しないように、その材料は十分に硬くなくてはならない。
前記カバー２２は継続的に自然にさらされるので、熱プラスティックゴムを含む耐久性のある材料から形成されなくてはならないが、それに限られはしない。前記キャリア２０が船舶１２の船体１６の上に設置されていて、前記カバー２２が位置決めされているとき、本発明は船舶１２を保護するバンパーとして機能する。
図２１は船舶１２の船体１６の内部７４の上に搭載されたガス補給機５６を示している。このガス補給機５６は浮揚スイッチ７８によって起動するバルブ７６を通じて配給パイプ５４に取着されている。この配給パイプ５４とすべての付属器具はステンレスの鉄またはシリコンのゴムパイプで形成されている。好ましい実施形態においては、配給パイプ５４は、０．３７５インチＩＤといったシームレスな水圧で作動するラインパイプでできている。図３０と図３１に示されるように、耐水隔壁コネクションはボート船体１６の２箇所を突き通し、船体１６の内部からカバーパイプ３６と浮袋２４に接続している部分外へ配給パイプ５４を送り出す。ある特定の船舶用に設定された水位線から約２インチ下であり船舶を下げるのに十分な水で満たされたとき浮揚スイッチ７８を作動させるように、この好ましい実施形態における浮揚スイッチ７８は船体１６の側面にｈ１の高さで配置されている。船体１６が船舶をある特定の船舶１２用の所定の水量より。浮揚物１２７が浮揚ボディ１０３内で約２インチ上がったとき、その浮揚スイッチ７８を起動させるのが望ましい。
バルブ７６と浮揚スイッチ７８の一部が露出した図は、図２３及び図２４に示されている。バルブ体７９は標準ステンレスの鉄のボールバルブであり、好ましい実施形態においてバルブ体７９はＮｕｐｒｏコーポレーションによって製造されている。このバルブ体は入口８０と出口８２と糸状に取着したポスト８４とバルブ７６が開閉する際に制御する弁の柄を有する。取着プレート８８は、取着ポスト８４の上を通り抜け、バルブ体７９の頂上９０で休止する。ナット９１は取着ポスト８４の上を通り抜けることで取着プレート８８をバルブ体７９に固定する。
前記取着プレート８８は、バルブ７６がボート船体１６に搭載されることを可能にするために片方の端に取着している搭載用プレート９２を有している。また取着プレート８８の一部はピボットマウント９３である。好ましい実施形態において、そのピボットマウント９３はそれぞれピボットホール９５ａ、９５ｂを有する２つの支え９４ａ、９４ｂから成る。ピボットの棒９６はピボットホール９５ａと９５ｂへスライドする。保持穴９７は取着プレート８８内にある。
ハンドル８９はバルブの柄８６に取着していて穴９８を有する。スプリング９９はハンドル８９のベースのあたりにフィットし、スプリングの端１０１ａ、１０１ｂは穴９７と９８にそれぞれフィットする。スプリング９９は開いている部分にハンドル８９と取着されたバルブの柄８６を有するので、図２４が示すようにバルブ７６は偏って開けられる。
図２３が示すように、浮揚スイッチ７８はリリース可能にハンドル８９へ取着けられており閉まった位置にバルブ７６を保持する。浮揚スイッチ７８はボディ１０３を有しており、図２２、図２３及び図２４に部分的な断面図が示されている。ボディ１０３は中空シェルでありって閉じている上下の端部１０５ａ、１０５ｂをそれぞれ有している。水流口１０６が両端部周辺に位置していて、ボディ１０３の内外へ水が自由に流れるようになっている。
前記ボディ１０３は片側に穴１０７を有する。浮揚アーム１０８はボディ１０３の中から外へ穴１０７を通って延びる。浮揚アーム１０８はピボットポイント１０９でピボット棒９６とともにピボットマウント９３ピボット式に取着けられている。浮揚アーム１０８はほぼＬ型の外観を有する引金端部１１５を有する。このＬ型の引金の曲部はアームと浮揚物との間に形成された接続器を中央に位置するようにデザインされていて、浮揚物が引金を解除するために機械的によりよい優位点を提供する。
図２５に示されるように、取着面の端部１１７は刃を有し、ハンドル８９内のチャンネル１２１の中にフィットする。チャンネル１２１は安全溝部材１２３を有し、片側に沿って延びている。刃１１９の上のビード１２５は、図２６に断面図で示されるようにこの安全溝部材１２３にフィットしている。この刃１１９とビード１２５は、図２３に示されるようにハンドル８９と浮揚アーム１０８との間に形成されたリリース可能な取着物を形成し、前記浮揚アーム１０８はハンドル８９に取着されて前記バルブ７６が開いた状態で偏らせる。
ピボットポイント１０９を前記取着面１１７のそばに置くことは、浮揚アーム１０８のサポートなしで取着面１１７がハンドル８９に対して旋回し刃１１９を強く溝チャンネル部へ押し上げることを意味する。ハンドル８９をリリースして、バルブ７６を開いた状態で偏らせるスプリング９９を発射させるためには、刃１１９はチャンネル部１２１から下ろされてハンドル８９をリリースするように浮揚アーム１０８を旋回されなければならない。ビード１２５と安全溝部材１２３は、振動だけで引金の仕組みを誘発しないことを確実にする安全なメカニズムである。ハンドル８９が図２３に示されるように閉じた位置にある場合、これはバルブにとって安全な形態である。
引金面１１５は浮揚物１２７の頂上１２９ａで休止する。浮揚物１２７は好ましい実施形態にあるように閉ざされたセルロイドポリスチレンで形成されている。浮揚物１２７はボディ１０３に適切にフィットするサイズなので重力のみではボディの中で上下に動かないようになっている。浮揚物１２７が動くためには少なくとも１ポンドの力を必要とするが、浮揚物１２７を別の所定の力量にセットすることも本発明の範囲内である。浮揚物１２７の下端１２９ｂは安全な形態のボディ１０３下端の上にある水流口ラインの真上になるようにセットされている。
もし船体に亀裂が生じた場合は船体１６内部に水を満たし始める。水は浮揚スイッチ７８の底に達すると、この水は流口１０６に流入する。水は浮揚物１２７をボディ１０３の中に上昇させる。浮揚物１２７はボディ１０３内部に十分きつくフィットされているので、連続的に水が入るだけで浮揚物１２７が上昇するために必要な力が生じる。海が荒れることにより流口１０６に水しぶきがかかるだけでは浮揚物１２７は上昇しない。浮揚物１２７が上昇すると浮揚アーム１０８の引金の端部１１５が上向きに押し上げられるので、図２４に示されるように取着面の端部１１７が下向きになる。これによりチャンネル部１２１から刃１１９が引かれ、前記圧縮ガスが吐出されてカバーパイプ３６が満たされる。そして浮袋２４はチェックバルブ（図示せず）を通じて膨らむ。すると図５に示されるように、前記浮袋保持スロット３８に沿って前記浮袋２４の長尺な端部４４を前記キャリア２０の端部まで引っぱることですぼんだ袋部材２４を取り出すことが可能になる。前記浮袋２４を再び丸められてもとの位置に置くか、新しい浮袋２４を浮袋保持スロット３８の中に搭載し、カバー２２を交換する。
図２７と図２８には別のバルブ７６が示されている。バルブ７６は前記の通り浮揚スイッチ７８を含む。浮揚スイッチ７８の中の浮揚物１２７は水流口１０６を通じて浮揚物１２７に所定の水量が入ったとき上方向へ動く。この浮揚物１２７は、膨張袋２４を膨らませるためのバルブ７６を起動させる前記浮揚アーム１０８を動かす。
本明細書中の用語や表現は、記述目的で使用されたものであり、制限するためのものではない。これらの用語や表現によってここに示され、記述された特徴と同等の特徴、またはその一部を除外するものではない。特許請求の範囲に示された発明の範囲および精神内において種々の変形が可能である。
【図面の簡単な説明】
【図１】
ボートレールを有する浮揚装置搭載の船体を示しており、本発明と一致する浮揚装置を示す図である。
【図２】
水のレベルが近接した浮揚装置搭載の船体を示しており、本発明と一致する浮揚装置後部を示す図である。
【図３】
本発明と一致する浮揚装置の実施形態を示す図である。
【図４】
本発明と一致する図３の浮揚装置体系部分で、膨らむ前にカバーが取り外されることを示す図である。
【図５】
本発明と一致する図３の浮揚装置を部分的に示す分解組立透視図である。
【図６】
本発明と一致する図３の浮揚装置体系部分を示す透視図で、浮揚装置の袋部分が膨らみ始めていることを示す。
【図７ａ】
本発明と一致する浮揚装置のもうひとつの実施形態を示す図で、カバーとキャリアの間に位置した浮揚パイプを示す。
【図７ｂ】
図７ａの浮揚装置の一部を示した図で、浮揚パイプが部分的に膨らんでいることを示す。
【図７ｃ】
図７ａの浮揚装置の一部を示した図で、浮揚パイプが実質的に膨らんでいることを示す。
【図７ｄ】
図７ａの浮揚装置の一部を示した図で、浮揚パイプが完全に膨らんで、カバーの片側がキャリアーから離れていくことを示す。
【図７ｅ】
図７ｄの浮揚装置の一部を示した図で、浮揚パイプが完全に膨らんで、浮袋が渦巻の状態で収納されていることを示す。
【図７ｆ】
図７ａの浮揚装置を示す分解組立図である。
【図７ｇ】
図７ｆの浮揚装置の一部を示した図で、完全に組み立てられた状態を示す。
【図８】
図７の浮揚装置の透視図で、本発明と一致しており浮揚装置の浮袋が膨らみ始めていることを示す。
【図９】
浮揚装置のさらに別の実施形態の一部を示した図で、本発明と一致している。
【図１０】
図９の浮揚装置の分解図の一部であり、本発明と一致している。
【図１１】
図９の浮揚装置の一部を示した図で、本発明と一致しており、浮揚装置の袋が膨らみ始めていることを示す。
【図１２】
浮揚装置のさらに別の実施形態の一部を示した図で、本発明と一致している。
【図１３】
図１２の浮揚装置の一部を示した図で、本発明と一致しており、浮揚装置の袋が膨らみ始めていることを示す。
【図１４】
図１２の浮揚装置の一部を示した図で、本発明と一致しており、浮揚装置の袋が膨らんでいることを示す。
【図１５】
船体に設置された浮揚装置の透視図で、浮袋が完全に膨らんでいる状態を示す。
【図１６】
浮袋がすぼんだ状態を上から示した透視図である。
【図１７】
浮袋が膨らんだ状態を示した透視図である。
【図１８】
図１６のＡ−Ａ線に沿って描かれた浮袋の接着した端の一部を示した図である。
【図１９】
浮揚装置の別の実施形態の一部を示した透視図で、内部の室を示す。
【図２０】
完全に膨らんだ図１９の浮袋の実施形態を備えた船体を示した透視図である。
【図２１】
船体の内側を示した透視図で、船体のボディに設置されパイプでレールに接続している圧縮ガスのシリンダーと弁作動装置を搭載していることを示す。
【図２２】
バルブの実施形態と浮揚装置の浮揚スイッチを示す分解図であり、本発明と一致している。
【図２３】
図２２のバルブと浮揚スイッチがオフ状態であることを示した透視図である。
【図２４】
バルブと浮揚スイッチがオン状態であることを示した透視図である。
【図２５】
浮揚スイッチとバルブ作動スイッチとの間に形成されたインターロックを示す。
【図２６】
図２１の２１−２１線に沿って描かれたインターロックの一部を示した図である。
【図２７】
バルブの別の実施形態と浮揚装置の浮揚スイッチを示した断面図で、本発明と一致しており、バルブと浮揚スイッチはともにオフ状態であることを示す。
【図２８】
図２７のバルブと浮揚スイッチを示した断面図で、本発明と一致しており、バルブと浮揚スイッチはともにオン状態であることを示す。
【図２９】
浮揚装置を船体に取り付けることを示した透視図である。
【図３０】
浮揚装置とガス補給機をつなげるための隔壁フィッティングを横から示した立面図である。
【図３１】
ガス補給機と浮揚スイッチと浮揚装置のつながりを示す平面図である。
【図１】
2004501023.tif 000003
【図２】
2004501023.tif 000004
【図３】
2004501023.tif 000005
【図４】
2004501023.tif 000006
【図５】
2004501023.tif 000007
【図６】
2004501023.tif 000008
【図７ａ】
2004501023.tif 000009
【図７ｂ】
2004501023.tif 000010
【図７ｃ】
2004501023.tif 000011
【図７ｄ】
2004501023.tif 000012
【図７ｅ】
2004501023.tif 000013
【図７ｆ】
2004501023.tif 000014
【図７ｇ】
2004501023.tif 000015
【図８】
2004501023.tif 000016
【図９】
2004501023.tif 000017
【図１０】
2004501023.tif 000018
【図１１】
2004501023.tif 000019
【図１２】
2004501023.tif 000020
【図１３】
2004501023.tif 000021
【図１４】
2004501023.tif 000022
【図１５】
2004501023.tif 000023
【図１６】
2004501023.tif 000024
【図１７】
2004501023.tif 000025
【図１８】
2004501023.tif 000026
【図１９】
2004501023.tif 000027
【図２０】
2004501023.tif 000028
【図２１】
2004501023.tif 000029
【図２２】
2004501023.tif 000030
【図２３】
2004501023.tif 000031
【図２４】
2004501023.tif 000032
【図２５】
2004501023.tif 000033
【図２６】
2004501023.tif 000034
【図２７】
2004501023.tif 000035
【図２８】
2004501023.tif 000036
【図２９】
2004501023.tif 000037
【図３０】
2004501023.tif 000038
【図３１】
2004501023.tif 000039
【国際公開パンフレット】
2004501023.tif 000040
2004501023.tif 000041
2004501023.tif 000042
2004501023.tif 000043
2004501023.tif 000044
2004501023.tif 000045
2004501023.tif 000046
2004501023.tif 000047
2004501023.tif 000048
2004501023.tif 000049
2004501023.tif 000050
2004501023.tif 000051
2004501023.tif 000052
2004501023.tif 000053
2004501023.tif 000054
2004501023.tif 000055
2004501023.tif 000056
2004501023.tif 000057
2004501023.tif 000058
2004501023.tif 000059
2004501023.tif 000060
2004501023.tif 000061
2004501023.tif 000062
2004501023.tif 000063
2004501023.tif 000064
2004501023.tif 000065
2004501023.tif 000066
2004501023.tif 000067
2004501023.tif 000068
2004501023.tif 000069
2004501023.tif 000070
2004501023.tif 000071
2004501023.tif 000072
2004501023.tif 000073
2004501023.tif 000074
2004501023.tif 000075
2004501023.tif 000076
2004501023.tif 000077
2004501023.tif 000078
2004501023.tif 000079
2004501023.tif 000080
2004501023.tif 000081
2004501023.tif 000082
2004501023.tif 000083
2004501023.tif 000084
2004501023.tif 000085
【国際調査報告】
2004501023.tif 000086